(57)【要約】
【課題】　液晶テレビジョン受像機の提供。
【解決手段】　液晶ディスプレイのケースにカードスロットが設けられ、ディスプレイのケース内部にメモリーカードコネクタが設けられ、信号処理回路を介してメモリーカード内のオーディオビデオ信号を液晶ディスプレイに表示し、該信号処理回路が信号圧縮及び圧縮解除処理器、入力セレクタ、データ分離器、倍周波数処理器、変換器、信号増幅器を具えて画像の選択と処理を行なって液晶ディスプレイに送り、音声部分は音声入力端、混合処理器、音声増幅器を経由してスピーカに送られ、該信号処理回路は異なる入力端、例えばビデオ信号入力端子、テレビ信号チューナ、及びコンピュータ入出力端に接続可能で、この構造により、同一ディスプレイに読み取ったメモリーカード内部データを表示できるほか、テレビスクリーン、コンピュータスクリーン、及びモニタスクリーンとしても使用できる多重機能を具備する。
【選択図】　　　　図１
0003100365.tif 000002
【実用新案登録請求の範囲】
【請求項１】
　複数のカードスロットを具えた液晶ディスプレイと、
　該液晶ディスプレイのケース内部の各カードスロットに対応する位置に設けられたメモリーカードコネクタと、
　該液晶ディスプレイのケース内に設置され、カードスロットに挿入されたメモリーカード内部の映像、画像及び音声信号を処理して液晶ディスプレイに表示させる信号処理回路と、
　を具えたことを特徴とする、液晶テレビジョン受像機。
【請求項２】
　請求項１記載の液晶テレビジョン受像機において、信号処理回路が、信号圧縮及び圧縮解除処理器、入力セレクタ、データ分離器、倍周波数処理器、変換器、信号増幅器を具え、該信号圧縮及び圧縮解除処理器はメモリーカード内の音声、映像、画像、データファイルの圧縮と圧縮解除を行ない、入力セレクタは映像、画像、データファイルを選択して音声信号を音声入力端より混合処理器に送り、データ分離器はデジタル映像画像を分離し分離ビデオ信号入力セレクタを経由して倍周波数処理器に送り、倍周波数処理器で処理された映像画像データは変換器を経由して信号増幅器に送られ、信号増幅器がマイクロプロセッサとレジスタ、及びクロック信号発生器を具え、この信号増幅器によりデジタル信号が増幅比例調整デコード変換されてから液晶ディスプレイに送られ、液晶ディスプレイに映像或いは画像が表示されることを特徴とする、液晶テレビジョン受像機。
【請求項３】
　請求項１記載の液晶テレビジョン受像機において、信号処理回路が、信号圧縮及び圧縮解除処理器の後端に設けられた、音声入力端、混合処理器、及び音声増幅器を具え、音声信号が音声増幅器よりスピーカに送られ出力されることを特徴とする、液晶テレビジョン受像機。
【請求項４】
　請求項１記載の液晶テレビジョン受像機において、信号処理回路が、分離ビデオ信号入力端を具え、これにより外接ビデオ周波信号を入力して液晶ディスプレイをモニタスクリーンとして使用できることを特徴とする、液晶テレビジョン受像機。
【請求項５】
　請求項１記載の液晶テレビジョン受像機において、信号処理回路が、テレビジョン信号チューナとチャンネルロックを具えたチューナ回路を具え、液晶ディスプレイをテレビジョンスクリーンとして使用できることを特徴とする、液晶テレビジョン受像機。
【請求項６】
　請求項１記載の液晶テレビジョン受像機において、信号処理回路が、コンピュータ信号入出力端、信号変換処理器、及びプリンタを具えたコンピュータ端回路を具え、液晶ディスプレイをコンピュータスクリーンとして使用できることを特徴とする、液晶テレビジョン受像機。
【考案の詳細な説明】
【技術分野】
【０００１】
　本考案は液晶テレビジョン受像機に係り、特に、同一ディスプレイに直接メモリーカード内部のデータを表示でき、また、テレビスクリーン、コンピュータスクリーン、及びモニタスクリーンとされ得て多重機能を具えた液晶テレビジョン受像機であって、多機能ディスプレイの技術領域に関する考案である。
【背景技術】
【０００２】
　現在の商工業の情報処理応用中、各種のメモリーカード、例えばメモリースティック（登録商標）カード或いはセキュリティーデジタルメモリーカード（ｓｅｃｕｒｉｔｙ　ｄｉｇｉｔａｌ　ｍｅｍｏｒｙ　ｃａｒｄ）形態のメモリーカードがオーディオビデオデータのアクセスに広く使用されている。しかし実際の応用上は、メモリーカードを使用する入力装置例えばデジタルビデオカメラ、デジタルカメラ、及び出力装置例えばディスプレイ、及び適当な伝送インタフェース例えばカードリーダーを組み合わせたパーソナルコンピュータ或いはオーディオビデオ処理システムが組み合わされることでメモリーカードデータの入出力が行なわれる。
【０００３】
　伝統的なカードリーダーは、パーソナルコンピュータ或いはその他のオーディオビデオ処理システムが組み合わされてカードを読み取る時、余分のアダプタ或いはインタフェース回路を介して信号を伝送しなければならず、このため使用と取り付け上、相当に面倒で不便であり、且つ部品が多く、乱雑となり整理しにくくなったり、使用空間を占用する問題がある。並びに包装と運送上、カードリーダーを反復して着脱するのは使用上の不便を形成し、且つ使用者の使用コストを増した。
【考案の開示】
【考案が解決しようとする課題】
【０００４】
　本考案は各種メモリーカード内部のオーディオ、ビデオデータの出力表示が行なえる液晶テレビジョン受像機を提供するものである。
【０００５】
　即ち、本考案の主要な目的は、同一ディスプレイに直接メモリーカードより読み取ったデータを表示できると共に、テレビジョンスクリーン、コンピュータスクリーン、及びモニタスクリーンとしても使用できる液晶テレビジョン受像機を提供することにある。
【課題を解決するための手段】
【０００６】
　請求項１の考案は、複数のカードスロットを具えた液晶ディスプレイと、
　該液晶ディスプレイのケース内部の各カードスロットに対応する位置に設けられたメモリーカードコネクタと、
　該液晶ディスプレイのケース内に設置され、カードスロットに挿入されたメモリーカード内部の映像、画像及び音声信号を処理して液晶ディスプレイに表示させる信号処理回路と、
　を具えたことを特徴とする、液晶テレビジョン受像機としている。
　請求項２の考案は、請求項１記載の液晶テレビジョン受像機において、信号処理回路が、信号圧縮及び圧縮解除処理器、入力セレクタ、データ分離器、倍周波数処理器、変換器、信号増幅器を具え、該信号圧縮及び圧縮解除処理器はメモリーカード内の音声、映像、画像、データファイルの圧縮と圧縮解除を行ない、入力セレクタは映像、画像、データファイルを選択して音声信号を音声入力端より混合処理器に送り、データ分離器はデジタル映像画像を分離し分離ビデオ信号入力セレクタを経由して倍周波数処理器に送り、倍周波数処理器で処理された映像画像データは変換器を経由して信号増幅器に送られ、信号増幅器がマイクロプロセッサとレジスタ、及びクロック信号発生器を具え、この信号増幅器によりデジタル信号が増幅比例調整デコード変換されてから液晶ディスプレイに送られ、液晶ディスプレイに映像或いは画像が表示されることを特徴とする、液晶テレビジョン受像機としている。
　請求項３の考案は、請求項１記載の液晶テレビジョン受像機において、信号処理回路が、信号圧縮及び圧縮解除処理器の後端に設けられた、音声入力端、混合処理器、及び音声増幅器を具え、音声信号が音声増幅器よりスピーカに送られ出力されることを特徴とする、液晶テレビジョン受像機としている。
　請求項４の考案は、請求項１記載の液晶テレビジョン受像機において、信号処理回路が、分離ビデオ信号入力端を具え、これにより外接ビデオ周波信号を入力して液晶ディスプレイをモニタスクリーンとして使用できることを特徴とする、液晶テレビジョン受像機としている。
　請求項５の考案は、請求項１記載の液晶テレビジョン受像機において、信号処理回路が、テレビジョン信号チューナとチャンネルロックを具えたチューナ回路を具え、液晶ディスプレイをテレビジョンスクリーンとして使用できることを特徴とする、液晶テレビジョン受像機としている。
　請求項６の考案は、請求項１記載の液晶テレビジョン受像機において、信号処理回路が、コンピュータ信号入出力端、信号変換処理器、及びプリンタを具えたコンピュータ端回路を具え、液晶ディスプレイをコンピュータスクリーンとして使用できることを特徴とする、液晶テレビジョン受像機としている。
【考案の効果】
【０００７】
　本考案によると、同一ディスプレイケース内部に上述のカードスロット及び信号処理回路が結合されたことにより、大幅にメモリーカードデータ出力端部品を簡易化し、多様な機能を同一のディスプレイに集中させ、余分のアダプタ或いはインタフェース回路を配置する必要がないため、製造コストを減らすことができ、並びに実際の使用操作にも便利で、ディスプレイの実用効果を高めている。
【考案を実施するための最良の形態】
【０００８】
　本考案の液晶テレビジョン受像機は、液晶ディスプレイのケースにカードスロットが設けられ、ディスプレイのケース内部にメモリーカードコネクタが設けられ、信号処理回路を介してメモリーカード内のオーディオビデオ信号を液晶ディスプレイに表示する。
【０００９】
　該信号処理回路は信号圧縮及び圧縮解除処理器、入力セレクタ、データ分離器、倍周波数処理器、変換器、信号増幅器を具えて画像の選択と処理を行なって液晶ディスプレイに送り、音声部分は音声入力端、混合処理器、音声増幅器を経由してスピーカに送る。
【００１０】
　該信号処理回路は異なる入力端、例えばビデオ信号入力端子、テレビ信号チューナ、及びコンピュータ入出力端に接続可能で、この構造により、同一ディスプレイに読み取ったメモリーカード内部データを表示できるほか、テレビスクリーン、コンピュータスクリーン、及びモニタスクリーンとしても使用できる多重機能を具備する。
【００１１】
　同一ディスプレイケース内部に上述のカードスロット及び信号処理回路が結合されたことにより、大幅にメモリーカードデータ出力端部品を簡易化し、多様な機能を同一のディスプレイに集中させ、余分のアダプタ或いはインタフェース回路を配置する必要がないため、製造コストを減らすことができ、並びに実際の使用操作にも便利で、ディスプレイの実用効果を高めている。
【実施例１】
【００１２】
　図２に示されるように、本考案の液晶テレビジョン受像機は、液晶ディスプレイ１８のケースの適当な位置に、複数のカードスロット６０、６１、６２が設けられ、該液晶ディスプレイ１８のケース内部の、各カードスロット６０、６１、６２に対応する位置に、メモリーカードコネクタ１０が設けられ、図１に示されるように、信号処理回路により、メモリーカード内部の画像、音声信号が、液晶ディスプレイ１８及びスピーカ２２より表示放送される。
【００１３】
　上述の信号処理回路の構造は図１のブロック図に示されるようであり、信号圧縮及び圧縮解除処理器１１、入力セレクタ１２、データ分離器１３、倍周波数処理器１５、変換器１６、信号増幅器１７を具えて画像の選択と処理を行なって液晶ディスプレイ１８に送る。
【００１４】
　上述の信号処理回路中、該メモリーカードコネクタ１０は、各種の市販のメモリーカード、例えばＣＦ、ＳＭ、ＭＤ、ＭＳ（登録商標）、ＳＤ、ＭＭＣを読み取ることができる。該信号圧縮及び圧縮解除処理器１１は、データアクセスコントローラ１１１とレジスタ１１２を具え、メモリーカード内の音声、映像、画像、データファイルの圧縮と圧縮解除の処理を行なう。該入力セレクタ１２は、映像、画像、データファイル、音声信号を選択して音声入力端１９より混合処理器２０に送る。該データ分離器１３は、デジタル映像画像を分離して分離ビデオ信号入力セレクタ１４を経由して倍周波数処理器１５に送る。倍周波数処理器１５はレジスタ１５１を具え、倍周波数処理した映像画像データを変換器１６を経由して信号増幅器１７に送る。該信号増幅器１７はマイクロプロセッサ１７１、レジスタ１７２、及びクロック信号発生器１７３を具え、この信号増幅器１７により、デジタル信号を増幅比例調整デコード変換し、さらに液晶ディスプレイ１８に送り映像或いは画像を表示させる。
【００１５】
　音声部分は信号圧縮及び圧縮解除処理器１１の後端において、音声入力端１９、混合処理器２０、音声増幅器２１を具え、スピーカ２２に送り音声出力を行なう。
【００１６】
　該音声入力端１９は、アナログ信号音声入力端とデジタル音声入力端を具え、該混合処理器２０がアナログ信号音声入力端とデジタル音声を混合処理し、音声増幅器２１で音声信号を増幅し、さらにスピーカ２２より音声出力する。
【００１７】
　上述の信号処理回路はまた、異なる入力端に接続可能で、例えば図１中の分離ビデオ信号入力端４０に接続されてこれにより外接ビデオ周波信号を入力でき、これにより液晶ディスプレイ１８をモニタスクリーンとして用いることができる。
【００１８】
　該信号処理回路はまた、異なる入力端に接続可能で、例えば図１中のテレビ信号チューナ３１及びチャンネルロック３２を具えたチューナ回路３０に接続可能で、これにより液晶ディスプレイ１８をテレビジョンスクリーンとして使用できる。
【００１９】
　さらにコンピュータ信号入出力端５１、信号変換処理器５２、及びプリンタ５３を具えたコンピュータ端回路５０を設置することで、液晶ディスプレイ１８をコンピュータスクリーンとして使用することができる。
【００２０】
　簡単に言うと、本考案の液晶ディスプレイは同一の液晶ディスプレイ１８のケース内部に、カードスロットを結合させて各種のメモリーカードを読み取れるようにし、及び信号処理回路を設けて液晶テレビジョン受像機が直接メモリーカード内部の映像画像ファイルを表示できるようにし、余分のアダプタ或いはインタフェース回路の配置を不要とし、大幅にメモリーカードデータ出力端部品を簡易化することができる。
【００２１】
　信号処理回路には液晶ディスプレイ１８に画像表示するのに必要な関係回路を増設可能で、多様な機能を同一の液晶ディスプレイに集中させて、テレビジョンスクリーン、コンピュータスクリーン、モニタスクリーンとしても使用できるようにして多重機能を具えた液晶テレビジョン受像機となし、これにより製造コストを減らし、並びに実際の使用操作に便利とし、実用性と全体効果を高めている。
【００２２】
　このように、本考案は予期された機能と目的を達成し、且つ以上の説明により、本考案を実施することができる。本考案の以上の実施例は本考案の実施範囲を限定するものではなく、本考案に基づきなしうる細部の修飾或いは改変は、いずれも本考案の請求範囲に属するものとする。
【図面の簡単な説明】
【００２３】
【図１】本考案の構造ブロック図である。
【図２】本考案を運用した液晶ディスプレイの外観図である。
【符号の説明】
【００２４】
１０　メモリーカードコネクタ　　　　　　　　１１　信号圧縮及び圧縮解除処理器
１１１　アクセスコントローラ　　　　　　　　１１２　レジスタ
１２　入力セレクタ　　　　　　　　　　　　　１３　データ分離器
１４　分離ビデオ信号入力セレクタ　　　　　　１５　倍周波数処理器
１５１　レジスタ
１６　変換器
１７　信号増幅器
１７１　マイクロプロセッサ　　　　　　　　　１７２　レジスタ
１７３　クロック発生器
１８　液晶ディスプレイ　　　　　　　　　　　１９　音声入力端
２０　混合処理器　　　　　　　　　　　　　　２１　音声増幅器
２２　スピーカ
３０　チューナ回路　　　　　　　　　　　　　３１　テレビジョン信号チューナ
３２　チャンネルロック
４０　分離ビデオ信号入力端
５０　コンピュータ端回路　　　　　　　　　　５１　コンピュータ信号入出力端
５２　信号変換処理器　　　　　　　　　　　　５３　プリンタ
６０　カードスロット　　　　　　　　　　　　６１　カードスロット
６２　カードスロット
【図１】
0003100365.tif 000003
【図２】
0003100365.tif 000004